(57)【要約】  本発明は帯域幅分割の構成方法及びネットワーク装置、端末を提供する。一方では、本発明の実施例は構成情報を取得し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに前記構成情報を送信する。各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
2020528228.tif 000002
【特許請求の範囲】
【請求項１】
帯域幅分割の構成方法であって、
構成情報を取得することであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であることと、
前記構成情報を送信することと、含むことを特徴とする、前記帯域幅分割の構成方法。
【請求項２】
前記各周波数領域帯域幅構成によって構成される帯域幅分割が、同じサブキャリア間隔又は異なるサブキャリア間隔を有することを特徴とする
請求項１に記載の方法。
【請求項３】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項１に記載の方法。
【請求項４】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項１に記載の方法。
【請求項５】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項１に記載の方法。
【請求項６】
前記相対オフセットは、
前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、又は
前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットを含むことを特徴とする
請求項５に記載の方法。
【請求項７】
前記構成情報はさらに、
前記各周波数領域帯域幅構成の番号情報、及び
前記各周波数領域帯域幅構成によって構成される帯域幅分割のサブキャリア間隔の情報のうちの少なくとも１つを含むことを特徴とする
請求項１に記載の方法。
【請求項８】
前記各周波数領域帯域幅構成によって構成される帯域幅分割のサブキャリア間隔の情報は、
前記各周波数領域帯域幅構成によって構成される帯域幅分割のサブキャリア間隔の番号情報、又は
前記各周波数領域帯域幅構成によって構成される帯域幅分割のパラメータセットの番号情報、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックスを含むことを含むことを特徴とする
請求項７に記載の方法。
【請求項９】
前記構成情報を送信することは、
上位層シグナリング又はシステムブロードキャストメッセージにより、前記構成情報を送信することを含むことを特徴とする
請求項１に記載の方法。
【請求項１０】
前記方法はさらに、
第一指示情報を送信することであって、前記第一指示情報が前記少なくとも１つの周波数領域帯域幅構成における１つの周波数領域帯域幅構成を指示する番号情報を含むことを含むことを特徴とする
請求項１〜９のいずれか一項に記載の方法。
【請求項１１】
前記第一指示情報を送信することは、
上位層シグナリング、システムブロードキャストメッセージ又は下り制御情報により、前記第一指示情報を送信することを含むことを特徴とする
請求項１０に記載の方法。
【請求項１２】
前記方法はさらに、
第二指示情報を送信することであって、前記第二指示情報が前記少なくとも１つの周波数領域帯域幅構成における１つの周波数領域帯域幅構成に基づく周波数領域リソース割り当て情報を含むことを含むことを特徴とする
請求項１〜９のいずれか一項に記載の方法。
【請求項１３】
前記第二指示情報を送信することは、
上位層シグナリング、システムブロードキャストメッセージ又は下り制御情報により、前記第二指示情報を送信することを含むことを特徴とする
請求項１２に記載の方法。
【請求項１４】
帯域幅分割の構成方法であって、
構成情報を受信することであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であることと、
前記構成情報に基づき、前記少なくとも１つの周波数領域帯域幅構成を決定することと、含むことを特徴とする、前記帯域幅分割の構成方法。
【請求項１５】
前記各周波数領域帯域幅構成によって構成される帯域幅分割が、同じサブキャリア間隔又は異なるサブキャリア間隔を有することを特徴とする
請求項１４に記載の方法。
【請求項１６】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項１４に記載の方法。
【請求項１７】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項１４に記載の方法。
【請求項１８】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項１４に記載の方法。
【請求項１９】
前記相対オフセットは、
前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、又は
前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットを含むことを特徴とする
請求項１８に記載の方法。
【請求項２０】
前記構成情報はさらに、
前記各周波数領域帯域幅構成の番号情報、及び
前記各周波数領域帯域幅構成によって構成される帯域幅分割のサブキャリア間隔の情報のうちの少なくとも１つを含むことを特徴とする
請求項１４に記載の方法。
【請求項２１】
前記各周波数領域帯域幅構成によって構成される帯域幅分割のサブキャリア間隔の情報は
前記各周波数領域帯域幅構成によって構成される帯域幅分割のサブキャリア間隔の番号情報、又は
前記各周波数領域帯域幅構成によって構成される帯域幅分割のパラメータセットの番号情報、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックスを含むことを含むことを特徴とする
請求項２０に記載の方法。
【請求項２２】
前記構成情報を受信することは、
上位層シグナリング又はシステムブロードキャストメッセージにより送信される前記構成情報を受信することを含むことを特徴とする
請求項１４に記載の方法。
【請求項２３】
前記方法はさらに、
第一指示情報を受信することであって、前記第一指示情報が前記少なくとも１つの周波数領域帯域幅構成における１つの周波数領域帯域幅構成を指示する番号情報を含むことを含むことを特徴とする
請求項１４〜２２のいずれか一項に記載の方法。
【請求項２４】
第一指示情報を受信することは、
上位層シグナリング、システムブロードキャストメッセージ又は下り制御情報により送信される前記第一指示情報を受信することを含むことを特徴とする
請求項２３に記載の方法。
【請求項２５】
前記方法はさらに、
第二指示情報を受信することであって、前記第二指示情報が前記少なくとも１つの周波数領域帯域幅構成における１つの周波数領域帯域幅構成に基づく周波数領域リソース割り当て情報を含むことを含むことを特徴とする
請求項１４〜２２のいずれか一項に記載の方法。
【請求項２６】
第二指示情報を受信することは、
上位層シグナリング、システムブロードキャストメッセージ又は下り制御情報により送信される前記第二指示情報を受信することを含むことを特徴とする
請求項２５に記載の方法。
【請求項２７】
ネットワーク装置であって、
構成情報を取得するように構成される取得ユニットであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である、取得ユニットと、
前記構成情報を送信するように構成される送信ユニットと、を含むことを特徴とする、前記ネットワーク装置。
【請求項２８】
前記各周波数領域帯域幅構成によって構成される帯域幅分割が、同じサブキャリア間隔又は異なるサブキャリア間隔を有することを特徴とする
請求項２７に記載のネットワーク装置。
【請求項２９】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項２７に記載のネットワーク装置。
【請求項３０】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項２７に記載のネットワーク装置。
【請求項３１】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項２７に記載のネットワーク装置。
【請求項３２】
前記相対オフセットは、
前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、又は
前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットを含むことを特徴とする
請求項３１に記載のネットワーク装置。
【請求項３３】
前記構成情報はさらに、
前記各周波数領域帯域幅構成の番号情報、及び
前記各周波数領域帯域幅構成によって構成される帯域幅分割のサブキャリア間隔の情報のうちの少なくとも１つを含むことを特徴とする
請求項２７に記載のネットワーク装置。
【請求項３４】
前記各周波数領域帯域幅構成によって構成される帯域幅分割のサブキャリア間隔の情報は、
前記各周波数領域帯域幅構成によって構成される帯域幅分割のサブキャリア間隔の番号情報、又は
前記各周波数領域帯域幅構成によって構成される帯域幅分割のパラメータセットの番号情報、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックスを含むことを含むことを特徴とする
請求項３３に記載のネットワーク装置。
【請求項３５】
前記送信ユニットは、具体的に、
上位層シグナリング又はシステムブロードキャストメッセージにより、前記構成情報を送信するように構成されることを特徴とする
請求項２７に記載のネットワーク装置。
【請求項３６】
前記送信ユニットは、さらに
第一指示情報を送信するように構成され、前記第一指示情報が前記少なくとも１つの周波数領域帯域幅構成における１つの周波数領域帯域幅構成を指示する番号情報を含むことを特徴とする
請求項２７〜３５のいずれか一項に記載のネットワーク装置。
【請求項３７】
前記送信ユニットは、具体的に、
上位層シグナリング、システムブロードキャストメッセージ又は下り制御情報により、前記第一指示情報を送信するように構成されることを特徴とする
請求項３６に記載のネットワーク装置。
【請求項３８】
前記送信ユニットは、さらに
第二指示情報を送信するように構成され、前記第二指示情報が前記少なくとも１つの周波数領域帯域幅構成における１つの周波数領域帯域幅構成に基づく周波数領域リソース割り当て情報を含むことを特徴とする
請求項２７〜３５のいずれか一項に記載のネットワーク装置。
【請求項３９】
前記送信ユニットは、具体的に、
上位層シグナリング、システムブロードキャストメッセージ又は下り制御情報により、前記第二指示情報を送信するように構成されることを特徴とする
請求項３８に記載のネットワーク装置。
【請求項４０】
端末であって、
構成情報を受信するように構成される受信ユニットであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である、受信ユニットと、
前記構成情報に基づき、前記少なくとも１つの周波数領域帯域幅構成を決定するように構成される決定ユニットと、を含むことを特徴とする、前記端末。
【請求項４１】
前記各周波数領域帯域幅構成によって構成される帯域幅分割が、同じサブキャリア間隔又は異なるサブキャリア間隔を有することを特徴とする
請求項４０に記載の端末。
【請求項４２】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項４０に記載の端末。
【請求項４３】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項４０に記載の端末。
【請求項４４】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項４０に記載の端末。
【請求項４５】
前記相対オフセットは、
前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、又は
前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットを含むことを特徴とする
請求項４４に記載の端末。
【請求項４６】
前記構成情報はさらに、
前記各周波数領域帯域幅構成の番号情報、及び
前記各周波数領域帯域幅構成によって構成される帯域幅分割のサブキャリア間隔の情報のうちの少なくとも１つを含むことを特徴とする
請求項４０に記載の端末。
【請求項４７】
前記各周波数領域帯域幅構成によって構成される帯域幅分割のサブキャリア間隔の情報は、
前記各周波数領域帯域幅構成によって構成される帯域幅分割のサブキャリア間隔の番号情報、又は
前記各周波数領域帯域幅構成によって構成される帯域幅分割のパラメータセットの番号情報、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックスを含むことを含むことを特徴とする
請求項４６に記載の端末。
【請求項４８】
前記受信ユニットは、具体的に、
上位層シグナリング又はシステムブロードキャストメッセージにより送信される前記構成情報を受信するように構成されることを特徴とする
請求項４０に記載の端末。
【請求項４９】
前記受信ユニットは、さらに
第一指示情報を受信するように構成され、前記第一指示情報が前記少なくとも１つの周波数領域帯域幅構成における１つの周波数領域帯域幅構成を指示する番号情報を含むことを特徴とする
請求項４０〜４８のいずれか一項に記載の端末。
【請求項５０】
前記受信ユニットは、具体的に、
上位層シグナリング、システムブロードキャストメッセージ又は下り制御情報により送信される前記第一指示情報を受信するように構成されることを特徴とする
請求項４９に記載の端末。
【請求項５１】
前記受信ユニットは、さらに
第二指示情報を受信するように構成され、前記第二指示情報が前記少なくとも１つの周波数領域帯域幅構成における１つの周波数領域帯域幅構成に基づく周波数領域リソース割り当て情報を含むことを特徴とする
請求項４０〜４８のいずれか一項に記載の端末。
【請求項５２】
前記受信ユニットは、具体的に、
上位層シグナリング、システムブロードキャストメッセージ又は下り制御情報により送信される前記第二指示情報を受信するように構成されることを特徴とする
請求項５１に記載の端末。
【発明の詳細な説明】
【技術分野】
【０００１】
本発明は無線アクセス技術に関し、特に帯域幅分割の構成方法及びネットワーク装置、端末に関する。
【背景技術】
【０００２】
新しい無線（Ｎｅｗ  Ｒａｄｉｏ：ＮＲ）システムたとえば５Ｇ応用シーンにおいて、既に帯域幅分割（ｂａｎｄｗｉｄｔｈ  ｐａｒｔ）の概念を導入して、システム帯域幅より小さい範囲内の周波数領域リソース割り当てを実現することが決められた。各帯域幅分割（ｂａｎｄｗｉｄｔｈ  ｐａｒｔ）に１種のサブキャリア間隔をバインディングすることができ、異なる帯域幅分割の間に切り替えて複数種のサブキャリア間隔のリソース割り当てを実現できる。
【０００３】
従って、帯域幅分割の構成をどのように合理的に行い、それによってより低い制御シグナリングオーバーヘッドを確保するかは、早急に解決しなければならない１つ問題になった。
【発明の概要】
【発明が解決しようとする課題】
【０００４】
本発明の複数の態様は帯域幅分割の構成方法及びネットワーク装置、端末を提供し、それによってより低い制御シグナリングオーバーヘッドを確保する。
【課題を解決するための手段】
【０００５】
本発明の一態様は、帯域幅分割の構成方法を提供し、該方法は、
構成情報を取得することであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であることと、
前記構成情報を送信することと、含む。
【０００６】
本発明の別の態様は、帯域幅分割の構成方法を提供し、該方法は、
構成情報を受信することであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であることと、
前記構成情報に基づき、前記少なくとも１つの周波数領域帯域幅構成を決定することと、含む。
【０００７】
本発明の別の態様は、ネットワーク装置を提供し、該ネットワーク装置は、
構成情報を取得するように構成される取得ユニットであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である、取得ユニットと、
前記構成情報を送信するように構成される送信ユニットと、含む。
【０００８】
本発明の別の態様は、端末を提供し、該端末は、
構成情報を受信するように構成される受信ユニットであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である受信ユニットと、
前記構成情報に基づき、前記少なくとも１つの周波数領域帯域幅構成を決定するように構成される決定ユニットと、含む。
【発明の効果】
【０００９】
上記技術案から分かるように、一方では、本発明の実施例によれば、構成情報を取得し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに前記構成情報を送信する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【００１０】
上記技術案から分かるように、他方では、本発明の実施例によれば、構成情報を受信し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに前記構成情報に基づき、前記少なくとも１つの周波数領域帯域幅構成を決定する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【００１１】
また、本発明で提供される技術案の採用により、各周波数領域帯域幅構成によって構成される帯域幅分割の大きさ及び／又は位置が同じな周波数領域ユニットを単位として用い、定義されるため、異なるリソース粒度構成を用いて構成することと比較すれば、シグナリングの構造を統合制御でき、それにより端末の処理複雑さを簡略化する。
【００１２】
また、本発明で提供される技術案の採用により、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比較すれば、構成帯域幅分割のビット数を効果的に減少させ、制御シグナリングオーバーヘッドを節約することができる。
【００１３】
また、本発明で提供される技術案の採用により、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【図面の簡単な説明】
【００１４】
【図１Ａ】図１Ａは本発明の一実施例に係わる帯域幅分割の構成方法のプロセス模式図である。
【図１Ｂ】図１Ｂは図１Ａに対応する実施例に係わる周波数領域帯域幅構成の分布模式図である。
【図１Ｃ】図は図１Ａに対応する実施例に係わる別の周波数領域帯域幅構成の分布模式図である。
【図１Ｄ】図１Ｄは図１Ａに対応する実施例に係わる別の周波数領域帯域幅構成の分布模式図である。
【図１Ｅ】図１Ｅは図１Ａに対応する実施例に係わる別の周波数領域帯域幅構成の分布模式図である。
【図２】図２は本発明の別の実施例に係わる別の帯域幅分割の構成方法のプロセス模式図である。
【図３】図３は本発明の別の実施例に係わるネットワーク装置の構造模式図である。
【図４】図４は本発明の別の実施例に係わる端末の構造模式図である。
【発明を実施するための形態】
【００１５】
本発明の実施例における技術案をより詳しく説明するための、以下では実施例又は従来技術の説明に必要な図面を簡単に紹介し、明らかに、以下では説明される図面は本発明の実施例であり、当業者であれば，創造的な労力を要することなく，これらの図面に基づいて他の図面に想到しうる。
【００１６】
本発明の実施例の目的、技術案及び利点をより明らかにするために、以下では本発明の実施例における図面を参照しながら、本発明の実施例における技術案を明らかで、完全に説明し、明らかに、説明される実施例は本発明の一部の実施例であり、全部の実施例ではない。本発明の実施例に基づいて，当業者が創造的な労力を要さずに想到し得る他の実施例は，いずれも本発明の技術的範囲に属する。
【００１７】
ＮＲシステムたとえば５Ｇシステムにおいて、下り多元接続方式が一般的に直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）方式を用いる。システムの下りリソースは、時間から見ると直交周波数分割多元（Ｏｒｔｈｏｇｏｎａｌ  Ｆｒｅｑｕｅｎｃｙ  Ｄｉｖｉｓｉｏｎ  Ｍｕｌｔｉｐｌｅ：ＯＦＤＭ）符号に分割され、周波数から見るとサブキャリアに分割される。
【００１８】
１５ｋＨｚサブキャリア間隔で、１つの正常な下りサブフレームは、２つのタイムスロット（ｓｌｏｔ）を含み、各タイムスロットが７つ又は６つのＯＦＤＭ符号を有し、１つの正常な下りサブフレームが共に１４個のＯＦＤＭ符号又は１２個のＯＦＤＭ符号を含む。ＬＴＥ  Ｒｅｌｅａｓｅ  ８／９／１０標準はさらにリソースブロック（Ｒｅｓｏｕｒｃｅ  Ｂｌｏｃｋ：ＲＢ）の大きさを定義し、１つのリソースブロックが周波数領域において１２個のサブキャリアを含み、時間領域において半分のサブフレームの時間長さ（すなわち１つのタイムスロット）であり、すなわち、７つの又は６つのＯＦＤＭ符号を含む。ＲＥ（Ｒｅｓｏｕｒｃｅ  Ｅｌｅｍｅｎｔ）リソース要素、又はリソース粒子、は物理リソースにおける一番小さいリソース単位である。
【００１９】
サブフレームに運搬される各種のデータは、サブフレームの物理時間周波数リソースにおいて各種物理チャネルを分割することによりマッピングを組織する。各種の物理チャネルは、大体制御チャネルとサービスチャネルの２つの種類に分けることができる。それに対応し、制御チャネルに運搬されるデータが制御データと呼称されてもよく（一般的に制御情報と呼称されてもよい）、サービスチャネルに運搬されるデータがサービスデータと呼称されてもよい（一般的にデータと呼称されてもよい）。サブフレームを送信する基本的な目的はサービスデータを伝送することであり、制御チャネルの作用がサービスデータの伝送を補助することである。
【００２０】
制御データを伝送する時、リソース粒子（Ｒｅｓｏｕｒｃｅ  Ｅｌｅｍｅｎｔ：ＲＥ）が一番小さい伝送単位である。しかし、１つのＲＥが小さすぎるため、リソース粒子グループ（Ｒｅｓｏｕｒｃｅ  Ｅｌｅｍｅｎｔ  Ｇｒｏｕｐ：ＲＥＧ）又は制御チャネル粒子（Ｃｏｎｔｒｏｌ  Ｃｈａｎｎｅｌ  Ｅｌｅｍｅｎｔ：ＣＣＥ）を伝送単位とする場合が多い。
【００２１】
また、本文の“及び／又は”という専門用語は、単に関連対象の関連関係を説明するものであり、３種類の関係が存在できることを示し、たとえば、Ａ及び／又はＢは、Ａが単独存在する状況、ＡとＢが同時に存在する状況、Ｂが単独存在する状況の３つの状況を示すことができる。また、本文の文字“／”は、一般的に前後の関連対象は“又は”の関係を示す。
【００２２】
図１Ａは本発明の一実施例に係わる帯域幅分割の構成方法のプロセス模式図であり、図１Ａに示すように以下を含む。
【００２３】
１０１：構成情報を取得し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットＤを単位として用い、定義され、前記周波数領域ユニットＤがＮ個のリソースブロックを含み、Ｎが以上１の整数である。
【００２４】
１０２：前記構成情報を送信する。
【００２５】
なお、１０１〜１０２の実行本体がネットワーク装置であってもよい。
【００２６】
オプションとして、本実施例の１つの可能な実現形態では、前記各周波数領域帯域幅構成によって構成される帯域幅分割が同じサブキャリア間隔又は異なるサブキャリア間隔を有し、本実施例はこれを特に限定しない。
【００２７】
このように、異なる帯域幅分割の間に切り替えることにより複数種のサブキャリア間隔のリソース割り当てを実現できる。
【００２８】
オプションとして、本実施例の１つの可能な実現形態では、前記リソースブロック的サブキャリア間隔が前記各周波数領域帯域幅構成によって構成される帯域幅分割のサブキャリア間隔における任意の１つのサブキャリア間隔であってもよい。
【００２９】
オプションとして、本実施例の１つの可能な実現形態では、前記リソースブロックのサブキャリア間隔が前記各周波数領域帯域幅構成によって構成される帯域幅分割のサブキャリア間隔における最大サブキャリア間隔である。
【００３０】
このように、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べて、構成帯域幅分割のビット数を効果的に減少させ、制御シグナリングオーバーヘッドを節約することができる。
【００３１】
オプションとして、本実施例の１つの可能な実現形態では、前記各周波数領域帯域幅構成によって構成される帯域幅分割の大きさが前記各周波数領域帯域幅構成によって構成される帯域幅分割に含まれる前記周波数領域ユニットＤの数量であってもよい。
【００３２】
オプションとして、本実施例の１つの可能な実現形態では、前記各周波数領域帯域幅構成によって構成される帯域幅分割の位置は前記各周波数領域帯域幅構成によって構成される帯域幅分割の、同期信号又はセルキャリアに対する相対オフセットであり、前記相対オフセットが前記周波数領域ユニットで定義される。
【００３３】
このように、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００３４】
１つの具体的な実現過程では、前記相対オフセットは、前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、
たとえば、前記各周波数領域帯域幅構成によって構成される帯域幅分割の中心周波数ポイントの、同期信号の中心周波数ポイントに対するオフセット、
又は、さらにたとえば、前記各周波数領域帯域幅構成によって構成される帯域幅分割の中心周波数ポイントの、同期信号の周波数領域ハイエンドに対するオフセット、
又は、さらにたとえば、前記各周波数領域帯域幅構成によって構成される帯域幅分割の中心周波数ポイントの、同期信号の周波数領域ローエンドに対するオフセット、
又は、さらにたとえば、前記各周波数領域帯域幅構成によって構成される帯域幅分割の周波数領域ハイエンドの、同期信号の中心周波数ポイントに対するオフセット、
又は、さらにたとえば、前記各周波数領域帯域幅構成によって構成される帯域幅分割の周波数領域ハイエンドの、同期信号の周波数領域ハイエンドに対するオフセット、
又は、さらにたとえば、前記各周波数領域帯域幅構成によって構成される帯域幅分割の周波数領域ハイエンドの、同期信号の周波数領域ローエンドに対するオフセット、
又は、さらにたとえば、前記各周波数領域帯域幅構成によって構成される帯域幅分割の周波数領域ローエンドの、同期信号の中心周波数ポイントに対するオフセット、
又は、さらにたとえば、前記各周波数領域帯域幅構成によって構成される帯域幅分割の周波数領域ローエンドの、同期信号の周波数領域ハイエンドに対するオフセット、
又は、さらにたとえば、前記各周波数領域帯域幅構成によって構成される帯域幅分割の周波数領域ローエンドの、同期信号の周波数領域ローエンドに対するオフセットであってもよい。
【００３５】
別の具体的な実現過程では、前記相対オフセットは、前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセット、
たとえば、前記各周波数領域帯域幅構成によって構成される帯域幅分割の中心周波数ポイントの、セルキャリアの中心周波数ポイントに対するオフセット、
又は、さらにたとえば、前記各周波数領域帯域幅構成によって構成される帯域幅分割の中心周波数ポイントの、セルキャリアの周波数領域ハイエンドに対するオフセット、
又は、さらにたとえば、前記各周波数領域帯域幅構成によって構成される帯域幅分割の中心周波数ポイントの、セルキャリアの周波数領域ローエンドに対するオフセット、
又は、さらにたとえば、前記各周波数領域帯域幅構成によって構成される帯域幅分割の周波数領域ハイエンドの、セルキャリアの中心周波数ポイントに対するオフセット、
又は、さらにたとえば、前記各周波数領域帯域幅構成によって構成される帯域幅分割の周波数領域ハイエンドの、セルキャリアの周波数領域ハイエンドに対するオフセット、
又は、さらにたとえば、前記各周波数領域帯域幅構成によって構成される帯域幅分割の周波数領域ハイエンドの、セルキャリアの周波数領域ローエンドに対するオフセット、
又は、さらにたとえば、前記各周波数領域帯域幅構成によって構成される帯域幅分割の周波数領域ローエンドの、セルキャリアの中心周波数ポイントに対するオフセット、
又は、さらにたとえば、前記各周波数領域帯域幅構成によって構成される帯域幅分割の周波数領域ローエンドの、セルキャリアの周波数領域ハイエンドに対するオフセット、
又は、さらにたとえば、前記各周波数領域帯域幅構成によって構成される帯域幅分割の周波数領域ローエンドの、セルキャリアの周波数領域ローエンドに対するオフセットであってもよい。
【００３６】
オプションとして、本実施例の１つの可能な実現形態では、１０１では取得された構成情報はさらに、
前記各周波数領域帯域幅構成の番号情報、及び
前記各周波数領域帯域幅構成によって構成される帯域幅分割のサブキャリア間隔の情報のうちの少なくとも１つを含んでもよい。
【００３７】
具体的に、前記各周波数領域帯域幅構成によって構成される帯域幅分割のサブキャリア間隔の情報は、前記各周波数領域帯域幅構成によって構成される帯域幅分割のサブキャリア間隔の番号情報であってもよく、又はさらに前記各周波数領域帯域幅構成によって構成される帯域幅分割のパラメータセットの番号情報であってもよく、前記各周波数領域帯域幅構成によって構成される帯域幅分割のパラメータセットが、少なくとも前記各周波数領域帯域幅構成によって構成される帯域幅分割のサブキャリア間隔及びサイクリックプレフィックス、たとえば、パラメータセット１（サブキャリア間隔１、サイクリックプレフィックス１）、パラメータセット２（サブキャリア間隔２、サイクリックプレフィックス２）等を含み、本実施例はこれを特に限定しない。
【００３８】
オプションとして、本実施例の１つの可能な実現形態では、１０２では、具体的に、上位層シグナリング又はシステムブロードキャストメッセージにより、前記構成情報を送信できる。
【００３９】
具体的に、ネットワーク装置が具体的に上位層シグナリング又はシステムブロードキャストメッセージにより、端末に構成情報を送信できる。
【００４０】
たとえば、前記上位層シグナリングは無線リソース制御（Ｒａｄｉｏ  Ｒｅｓｏｕｒｃｅ  Ｃｏｎｔｒｏｌ：ＲＲＣ）メッセージであってもよく、具体的に、ＲＲＣメッセージにおける情報要素（Ｉｎｆｏｒｍａｔｉｏｎ  Ｅｌｅｍｅｎｔ：ＩＥ）によって前記構成情報を含むことができ、前記ＲＲＣメッセージが従来技術におけるＲＲＣメッセージ、たとえば、ＲＲＣ接続再構成（ＲＲＣ  ＣＯＮＮＥＣＴＩＯＮ  ＲＥＣＯＮＦＩＧＵＲＡＴＩＯＮ）メッセージ等であってもよく、本実施例はこれを制限せず、既存のＲＲＣメッセージのＩＥを拡張することにより前記構成情報を含ませ、又は前記ＲＲＣメッセージがさらに従来技術における既存のＲＲＣメッセージと異なるものであってもよい。
【００４１】
さらにたとえば、前記上位層シグナリングが媒体アクセス制御（Ｍｅｄｉａ  Ａｃｃｅｓｓ  Ｃｏｎｔｒｏｌ：ＭＡＣ）制御要素（Ｃｏｎｔｒｏｌ  Ｅｌｅｍｅｎｔ：ＣＥ）メッセージであってもよく、具体的に、さらに新しいＭＡＣ  ＣＥメッセージを追加することにより前記構成情報を含むことができる。
【００４２】
さらにたとえば、具体的に、前記システムブロードキャストメッセージにおける従来のマスター情報ブロック（Ｍａｓｔｅｒ  Ｉｎｆｏｒｍａｔｉｏｎ  Ｂｌｏｃｋ：ＭＩＢ）又は（Ｓｙｓｔｅｍ  Ｉｎｆｏｒｍａｔｉｏｎ  Ｂｌｏｃｋ：ＳＩＢ）におけるフリービット（ｂｉｔ）を用いて前記構成情報を含むことができ、又はさらに新しいＳＩＢを追加して前記構成情報を含むことができる。
【００４３】
理解できるように、後の実施例に関する上位層シグナリング又はシステムブロードキャストメッセージはいずれも上記理解方式を採用することができる。
【００４４】
オプションとして、本実施例の１つの可能な実現形態では、さらに第一指示情報を送信でき、前記第一指示情報が前記少なくとも１つの周波数領域帯域幅構成における１つの周波数領域帯域幅構成を指示する番号情報を含む。このようにすると、端末にどの周波数領域帯域幅構成かを具体的に指示できる。
【００４５】
具体的に、具体的に上位層シグナリング又はシステムブロードキャストメッセージ又は下り制御情報（Ｄｏｗｎｌｉｎｋ  Ｃｏｎｔｒｏｌ  Ｉｎｆｏｒｍａｔｉｏｎ：ＤＣＩ）により、前記第一指示情報を送信できる。
【００４６】
オプションとして、本実施例の１つの可能な実現形態では、さらに第二指示情報を送信でき、前記第二指示情報が前記少なくとも１つの周波数領域帯域幅構成における１つの周波数領域帯域幅構成に基づく周波数領域リソース割り当て情報を含む。このように、端末にどの周波数領域帯域幅構成の具体的な周波数領域リソース割り当て情報かを具体的に指示できる。
【００４７】
具体的に、具体的に上位層シグナリング又はシステムブロードキャストメッセージ又は下り制御情報（Ｄｉｏｗｎｌｉｎｋ  Ｃｏｎｔｒｏｌ  Ｉｎｆｏｒｍａｔｉｏｎ：ＤＣＩ）により、前記第二指示情報を送信できる。
【００４８】
本発明の実施例に係わる方法をより明らかにするために、以下ではそれぞれ周波数領域ユニットＤの大きさが２つの６０ｋＨｚのリソースブロック（Ｒｅｓｏｕｒｃｅ  Ｂｌｏｃｋ：ＲＢ）であること、すなわちＤ＝２ＲＢを例に挙げる。
【００４９】
図１Ｂが図１Ａに対応する実施例に係わる周波数領域帯域幅構成の分布模式図である。図１Ｂに示されるように、ネットワーク装置が第一構成情報により端末のために２つの周波数領域帯域幅構成を構成し、各周波数領域帯域幅構成がそれぞれシステム帯域幅より小さい帯域幅分割（ｂａｎｄｗｉｄｔｈ  ｐａｒｔ）を構成し、具体的な周波数領域リソース割り当てに用いられる。ｂａｎｄｗｉｄｔｈ  ｐａｒｔ  １が１５ｋＨｚサブキャリア間隔を用いる帯域幅分割であり、１つのリソースブロック（ＲＢ）が１２つのサブキャリアを含み、帯域幅が１８０ｋＨｚである。ｂａｎｄｗｉｄｔｈ  ｐａｒｔ  ２が６０ｋＨｚサブキャリア間隔を用いる帯域幅分割であり、１つのリソースブロック（ＲＢ）が１２つのサブキャリアを含み、帯域幅が７２０ｋＨｚである。これらの２つの周波数領域帯域幅構成の帯域幅分割を構成する時、同じ周波数領域ユニットＤを用いて構成し、Ｄ＝２個ＲＢであり、６０ｋＨｚサブキャリア間隔を用い、帯域幅が１４４０ｋＨｚである。
【００５０】
このような構成方法の採用により、端末のためにどのサブキャリア間隔を有する帯域幅分割を構成でも、同じリソース粒度すなわち周波数領域ユニットＤを用いて構成することができ、異なるリソース粒度を用いて帯域幅分割を構成することと比較すれば、シグナリングの構造を統合制御でき、より低い制御シグナリングオーバーヘッドを効果的に確保し、さらに端末の処理複雑さを簡略化できる。
【００５１】
最大サブキャリア間隔のリソースブロック及びその倍数を周波数領域ユニットＤをとする場合は、より小さいサブキャリア間隔のリソースブロック及びその倍数を周波数領域ユニットＤとする場合と比べて、ｂａｎｄｗｉｄｔｈ  ｐａｒｔを構成するビット数を減少させ、制御シグナリングのオーバーヘッドを節約することができる。
【００５２】
図１Ｃは図１Ａに対応する実施例に係わる別の周波数領域帯域幅構成の分布模式図である。図１Ｃに示されるように、図１Ｂに比べて、図１Ｂにおけるｂａｎｄｗｉｄｔｈ  ｐａｒｔ  １の位置を具体的に指示でき、ｂａｎｄｗｉｄｔｈ  ｐａｒｔ１の周波数領域ローエンドの、同期信号の中心周波数ポイントに対するオフセットを用いてｂａｎｄｗｉｄｔｈ  ｐａｒｔ１の位置を構成し、且つ周波数領域ユニットＤを周波数領域粒度として用いて構成を行い、該オフセットが４Ｄである。
【００５３】
このような構成方法の採用により、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００５４】
図１Ｄは図１Ａに対応する実施例に係わる別の周波数領域帯域幅構成の分布模式図である。図１Ｄに示されるように、図１Ｂに比べて、図１Ｂにおけるｂａｎｄｗｉｄｔｈ  ｐａｒｔ  １の位置を具体的に指示でき、ｂａｎｄｗｉｄｔｈ  ｐａｒｔ１の中心周波数ポイントの、同期信号の中心周波数ポイントに対するオフセットを用いてｂａｎｄｗｉｄｔｈ  ｐａｒｔ１の位置を構成し、且つ周波数領域ユニットＤを周波数領域粒度として用いて構成を行い、該オフセットが２Ｄである。
【００５５】
このような構成方法の採用により、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００５６】
図１Ｅは図１Ａに対応する実施例に係わる別の周波数領域帯域幅構成の分布模式図である。図１Ｅに示されるように、図１Ｂに比べて、図１Ｂにおけるｂａｎｄｗｉｄｔｈ  ｐａｒｔ  １の位置を具体的に指示でき、ｂａｎｄｗｉｄｔｈ  ｐａｒｔ１の周波数領域ローエンドの、セルキャリアの中心周波数ポイントに対するオフセットを用いてｂａｎｄｗｉｄｔｈ  ｐａｒｔ１の位置を構成し、且つ周波数領域ユニットＤを周波数領域粒度として用いて構成を行い、該オフセットが２Ｄである。
【００５７】
このような構成方法の採用により、セル内のすべての端末のｂａｎｄｗｉｄｔｈ  ｐａｒｔ１の位置がセルキャリアの中心周波数ポイントに対して構成され、図１Ｄに対応する実施例に比べて、異なる同期信号を読み取る端末に対して、異なる同期信号に対してｂａｎｄｗｉｄｔｈ  ｐａｒｔ１のオフセットを指示する必要がなく、ネットワーク装置の処理複雑さを効果的に低減させることができる。
【００５８】
本実施例では、構成情報を取得し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに前記構成情報を送信する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【００５９】
また、本発明で提供される技術案の採用により、各周波数領域帯域幅構成によって構成される帯域幅分割の大きさ及び／又は位置が同じな周波数領域ユニットを単位として用い、定義されるため、異なるリソース粒度構成を用いて構成することと比較すれば、シグナリングの構造を統合制御でき、それにより端末の処理複雑さを簡略化する。
【００６０】
また、本発明で提供される技術案の採用により、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【００６１】
また、本発明で提供される技術案の採用により、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００６２】
図２は本発明の別の実施例に係わる別の帯域幅分割の構成方法のプロセス模式図であり、図２に示すように以下を含む。
【００６３】
２０１：構成情報を受信し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である。
【００６４】
２０２：前記構成情報に基づき、前記少なくとも１つの周波数領域帯域幅構成を決定する。
【００６５】
なお、２０１〜２０２の実行本体が端末であってもよい。
【００６６】
オプションとして、本実施例の１つの可能な実現形態では、前記各周波数領域帯域幅構成によって構成される帯域幅分割が同じサブキャリア間隔又は異なるサブキャリア間隔を有し、本実施例はこれを特に限定しない。
【００６７】
このように、異なる帯域幅分割の間に切り替えることにより複数種のサブキャリア間隔のリソース割り当てを実現できる。
【００６８】
オプションとして、本実施例の１つの可能な実現形態では、前記リソースブロック的サブキャリア間隔が前記各周波数領域帯域幅構成によって構成される帯域幅分割のサブキャリア間隔における任意の１つのサブキャリア間隔であってもよい。
【００６９】
オプションとして、本実施例の１つの可能な実現形態では、前記リソースブロックのサブキャリア間隔が前記各周波数領域帯域幅構成によって構成される帯域幅分割のサブキャリア間隔における最大サブキャリア間隔である。
【００７０】
このように、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【００７１】
オプションとして、本実施例の１つの可能な実現形態では、前記各周波数領域帯域幅構成によって構成される帯域幅分割の大きさが前記各周波数領域帯域幅構成によって構成される帯域幅分割に含まれる前記周波数領域ユニットＤの数量であってもよい。
【００７２】
オプションとして、本実施例の１つの可能な実現形態では、前記各周波数領域帯域幅構成によって構成される帯域幅分割の位置は前記各周波数領域帯域幅構成によって構成される帯域幅分割の、同期信号又はセルキャリアに対する相対オフセットであり、前記相対オフセットが前記周波数領域ユニットで定義される。
【００７３】
このように、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００７４】
１つの具体的な実現過程では、前記相対オフセットは、前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセット、
たとえば、前記各周波数領域帯域幅構成によって構成される帯域幅分割の中心周波数ポイントの、同期信号の中心周波数ポイントに対するオフセット、
又は、さらにたとえば、前記各周波数領域帯域幅構成によって構成される帯域幅分割の中心周波数ポイントの、同期信号の周波数領域ハイエンドに対するオフセット、
又は、さらにたとえば、前記各周波数領域帯域幅構成によって構成される帯域幅分割の中心周波数ポイントの、同期信号の周波数領域ローエンドに対するオフセット、
又は、さらにたとえば、前記各周波数領域帯域幅構成によって構成される帯域幅分割の周波数領域ハイエンドの、同期信号の中心周波数ポイントに対するオフセット、
又は、さらにたとえば、前記各周波数領域帯域幅構成によって構成される帯域幅分割の周波数領域ハイエンドの、同期信号の周波数領域ハイエンドに対するオフセット、
又は、さらにたとえば、前記各周波数領域帯域幅構成によって構成される帯域幅分割の周波数領域ハイエンドの、同期信号の周波数領域ローエンドに対するオフセット、
又は、さらにたとえば、前記各周波数領域帯域幅構成によって構成される帯域幅分割の周波数領域ローエンドの、同期信号の中心周波数ポイントに対するオフセット、
又は、さらにたとえば、前記各周波数領域帯域幅構成によって構成される帯域幅分割の周波数領域ローエンドの、同期信号の周波数領域ハイエンドに対するオフセット。
【００７５】
又は、さらにたとえば、前記各周波数領域帯域幅構成によって構成される帯域幅分割の周波数領域ローエンドの、同期信号の周波数領域ローエンドに対するオフセットであってもよい。
【００７６】
別の具体的な実現過程では、前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセット、
たとえば、前記各周波数領域帯域幅構成によって構成される帯域幅分割の中心周波数ポイントの、セルキャリアの中心周波数ポイントに対するオフセット、
又は、さらにたとえば、前記各周波数領域帯域幅構成によって構成される帯域幅分割の中心周波数ポイントの、セルキャリアの周波数領域ハイエンドに対するオフセット、
又は、さらにたとえば、前記各周波数領域帯域幅構成によって構成される帯域幅分割の中心周波数ポイントの、セルキャリアの周波数領域ローエンドに対するオフセット、
又は、さらにたとえば、前記各周波数領域帯域幅構成によって構成される帯域幅分割の周波数領域ハイエンドの、セルキャリアの中心周波数ポイントに対するオフセット、
又は、さらにたとえば、前記各周波数領域帯域幅構成によって構成される帯域幅分割の周波数領域ハイエンドの、セルキャリアの周波数領域ハイエンドに対するオフセット、
又は、さらにたとえば、前記各周波数領域帯域幅構成によって構成される帯域幅分割の周波数領域ハイエンドの、セルキャリアの周波数領域ローエンドに対するオフセット、
又は、さらにたとえば、前記各周波数領域帯域幅構成によって構成される帯域幅分割の周波数領域ローエンドの、セルキャリアの中心周波数ポイントに対するオフセット、
又は、さらにたとえば、前記各周波数領域帯域幅構成によって構成される帯域幅分割の周波数領域ローエンドの、セルキャリアの周波数領域ハイエンドに対するオフセット、
又は、さらにたとえば、前記各周波数領域帯域幅構成によって構成される帯域幅分割の周波数領域ローエンドの、セルキャリアの周波数領域ローエンドに対するオフセットであってもよい。
【００７７】
オプションとして、本実施例の１つの可能な実現形態では、２０１では受信される構成情報はさらに、
前記各周波数領域帯域幅構成の番号情報、及び
前記各周波数領域帯域幅構成によって構成される帯域幅分割のサブキャリア間隔の情報のうちの少なくとも１つを含む。
【００７８】
具体的に、前記各周波数領域帯域幅構成によって構成される帯域幅分割のサブキャリア間隔の情報は、前記各周波数領域帯域幅構成によって構成される帯域幅分割のサブキャリア間隔の番号情報であってもよく、又はさらに前記各周波数領域帯域幅構成によって構成される帯域幅分割のパラメータセットの番号情報であってもよく、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックス、たとえば、パラメータセット１（サブキャリア間隔１、サイクリックプレフィックス１）、パラメータセット２（サブキャリア間隔２、サイクリックプレフィックス２）等を含み、本実施例はこれを特に限定しない。
【００７９】
オプションとして、本実施例の１つの可能な実現形態では、２０１では、具体的に、上位層シグナリング又はシステムブロードキャストメッセージにより送信される前記構成情報を受信できる。
【００８０】
具体的には、端末は具体的にネットワーク装置が上位層シグナリング又はシステムブロードキャストメッセージにより送信した構成情報を受信できる。
【００８１】
たとえば、前記上位層シグナリングが無線リソース制御（Ｒａｄｉｏ  Ｒｅｓｏｕｒｃｅ  Ｃｏｎｔｒｏｌ：ＲＲＣ）メッセージであってもよく、具体的に、ＲＲＣメッセージにおける情報要素（Ｉｎｆｏｒｍａｔｉｏｎ  Ｅｌｅｍｅｎｔ：ＩＥ）により前記構成情報を含むことができ、前記ＲＲＣメッセージが従来技術におけるＲＲＣメッセージ、たとえば、ＲＲＣ接続再設定（ＲＲＣ  ＣＯＮＮＥＣＴＩＯＮ  ＲＥＣＯＮＦＩＧＵＲＡＴＩＯＮ）メッセージ等であってもよく、本実施例はこれを制限せず、既存のＲＲＣメッセージのＩＥを拡張することにより前記構成情報を含ませ、又は前記ＲＲＣメッセージが従来技術の既存のＲＲＣメッセージと異なるものであってもよい。
【００８２】
さらにたとえば、前記上位層シグナリングが媒体アクセス制御（Ｍｅｄｉａ  Ａｃｃｅｓｓ  Ｃｏｎｔｒｏｌ：ＭＡＣ）制御要素（Ｃｏｎｔｒｏｌ  Ｅｌｅｍｅｎｔ：ＣＥ）メッセージであってもよく、具体的に、さらに新しいＭＡＣ  ＣＥメッセージを追加することにより前記構成情報を含むことができる。
【００８３】
さらにたとえば、具体的に、前記システムブロードキャストメッセージにおける従来のマスター情報ブロック（Ｍａｓｔｅｒ  Ｉｎｆｏｒｍａｔｉｏｎ  Ｂｌｏｃｋ：ＭＩＢ）又は（Ｓｙｓｔｅｍ  Ｉｎｆｏｒｍａｔｉｏｎ  Ｂｌｏｃｋ：ＳＩＢ）におけるフリービット（ｂｉｔ）を用いて前記構成情報を含むことができ、又はさらに新しいＳＩＢを追加して前記構成情報を含む。
【００８４】
理解できるように、後の実施例に関する上位層シグナリング又はシステムブロードキャストメッセージはいずれも上記理解方式を採用することができる。
【００８５】
オプションとして、本実施例の１つの可能な実現形態では、さらに第一指示情報を受信でき、前記第一指示情報が前記少なくとも１つの周波数領域帯域幅構成における１つの周波数領域帯域幅構成を指示する番号情報を含む。このようにすると、端末にどの周波数領域帯域幅構成かを具体的に指示できる。
【００８６】
具体的には、上位層シグナリング又はシステムブロードキャストメッセージ又は下り制御情報（Ｄｏｗｎｌｉｎｋ  Ｃｏｎｔｒｏｌ  Ｉｎｆｏｒｍａｔｉｏｎ：ＤＣＩ）により送信される前記第一指示情報を具体的に受信できる。
【００８７】
オプションとして、本実施例の１つの可能な実現形態では、さらに第二指示情報を受信でき、前記第二指示情報が前記少なくとも１つの周波数領域帯域幅構成における１つの周波数領域帯域幅構成に基づく周波数領域リソース割り当て情報を含む。このように、端末にどの周波数領域帯域幅構成の具体的な周波数領域リソース割り当て情報かを具体的に指示できる。
【００８８】
具体的には、上位層シグナリング又はシステムブロードキャストメッセージ又は下り制御情報（Ｄｏｗｎｌｉｎｋ  Ｃｏｎｔｒｏｌ  Ｉｎｆｏｒｍａｔｉｏｎ：ＤＣＩ）により送信される前記第二指示情報を具体的に受信できる。
【００８９】
本発明の実施例に係わる方法をより明らかにするために、同様に、図１Ａ〜図１Ｅに対応する実施例における関連内容を参照してもよく、ここで省略する。
【００９０】
本実施例では、構成情報を受信し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに前記構成情報に基づき、前記少なくとも１つの周波数領域帯域幅構成を決定する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【００９１】
また、本発明で提供される技術案の採用により、各周波数領域帯域幅構成によって構成される帯域幅分割の大きさ及び／又は位置が同じな周波数領域ユニットを単位として用い、定義されるため、異なるリソース粒度構成を用いて構成することと比較すれば、シグナリングの構造を統合制御でき、それにより端末の処理複雑さを簡略化する。
【００９２】
また、本発明で提供される技術案の採用により、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べて、構成帯域幅分割のビット数を効果的に減少させ、制御シグナリングオーバーヘッドを節約することができる。
【００９３】
また、本発明で提供される技術案の採用により、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【００９４】
なお、上記各方法の実施例については、簡単に説明するために、それらをいずれも一連の動作組み合わせに述べたが、当業者にとっては、本発明が説明される動作順序に制限されないことが知られるべきであり、それは、本発明に基づき、あるステップが他の順序を用い又は同時に行うことができるためである。次に、当業者にとっては、明細書に説明される実施例がすべて好ましい実施例に属し、関する動作及びモジュールが必ずしも本発明に必須なものではないことが知られるべきである。
【００９５】
上記実施例では、各実施例に対する説明はそれぞれある方面だけを重んじ、ある実施例に詳しく説明されていない部分は、他の実施例の関連説明を参照してもよい。
【００９６】
図３は本発明の別の実施例に係わるネットワーク装置の構造模式図であり、図３に示される。本実施例のネットワーク装置が取得ユニット３１及び送信ユニット３２を含んでもよい。取得ユニット３１は、構成情報を取得するように構成され、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である。送信ユニット３２は、前記構成情報を送信するように構成される。
【００９７】
オプションとして、本実施例の１つの可能な実現形態では、前記各周波数領域帯域幅構成によって構成される帯域幅分割が同じサブキャリア間隔又は異なるサブキャリア間隔を有し、本実施例はこれを特に限定しない。
【００９８】
このように、異なる帯域幅分割の間に切り替えることにより複数種のサブキャリア間隔のリソース割り当てを実現できる。
【００９９】
オプションとして、本実施例の１つの可能な実現形態では、前記リソースブロック的サブキャリア間隔が前記各周波数領域帯域幅構成によって構成される帯域幅分割のサブキャリア間隔における任意の１つのサブキャリア間隔であってもよい。
【０１００】
オプションとして、本実施例の１つの可能な実現形態では、前記リソースブロックのサブキャリア間隔が前記各周波数領域帯域幅構成によって構成される帯域幅分割のサブキャリア間隔における最大サブキャリア間隔である。
【０１０１】
このように、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【０１０２】
オプションとして、本実施例の１つの可能な実現形態では、前記各周波数領域帯域幅構成によって構成される帯域幅分割の大きさが前記各周波数領域帯域幅構成によって構成される帯域幅分割に含まれる前記周波数領域ユニットＤの数量であってもよい。
【０１０３】
オプションとして、本実施例の１つの可能な実現形態では、前記各周波数領域帯域幅構成によって構成される帯域幅分割の位置は前記各周波数領域帯域幅構成によって構成される帯域幅分割の、同期信号又はセルキャリアに対する相対オフセットであり、前記相対オフセットが前記周波数領域ユニットで定義される。
【０１０４】
１つの具体的な実現過程では、前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセットであってもよい。
【０１０５】
別の具体的な実現過程では、前記相対オフセットは、前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットであってもよい。
【０１０６】
オプションとして、本実施例の１つの可能な実現形態では、前記取得ユニット２１が取得した構成情報はさらに、
前記各周波数領域帯域幅構成の番号情報、及び
前記各周波数領域帯域幅構成によって構成される帯域幅分割のサブキャリア間隔の情報のうちの少なくとも１つを含んでもよい。
【０１０７】
具体的には、前記各周波数領域帯域幅構成によって構成される帯域幅分割のサブキャリア間隔の情報は、前記各周波数領域帯域幅構成によって構成される帯域幅分割のサブキャリア間隔の番号情報であってもよく、又はさらに前記各周波数領域帯域幅構成によって構成される帯域幅分割のパラメータセットの番号情報であってもよく、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックス、たとえば、パラメータセット１（サブキャリア間隔１、サイクリックプレフィックス１）、パラメータセット２（サブキャリア間隔２、サイクリックプレフィックス２）等を含み、本実施例はこれを特に限定しない。
【０１０８】
オプションとして、本実施例の１つの可能な実現形態では、前記送信ユニット２２は、具体的に、上位層シグナリング又はシステムブロードキャストメッセージにより、前記構成情報を送信するように構成されてもよい。
【０１０９】
オプションとして、本実施例の１つの可能な実現形態では、前記送信ユニット２２は、さらに第一指示情報を送信するように構成されてもよく、前記第一指示情報が前記少なくとも１つの周波数領域帯域幅構成における１つの周波数領域帯域幅構成を指示する番号情報を含む。
【０１１０】
具体的には、前記送信ユニット２２は、具体的に、上位層シグナリング又はシステムブロードキャストメッセージ又は下り制御情報により、前記第一指示情報を送信するように構成されてもよい。
【０１１１】
オプションとして、本実施例の１つの可能な実現形態では、前記送信ユニット２２は、さらに第二指示情報を送信するように構成されてもよく、前記第二指示情報が前記少なくとも１つの周波数領域帯域幅構成における１つの周波数領域帯域幅構成に基づく周波数領域リソース割り当て情報を含む。
【０１１２】
具体的には、前記送信ユニット２２は、具体的に、上位層シグナリング又はシステムブロードキャストメッセージ又は下り制御情報により、前記第二指示情報を送信するように構成されてもよい。
【０１１３】
なお、図１Ａ〜図１Ｅに対応する実施例の方法は、本実施例に係わるネットワーク装置で実現されてもよい。詳細な説明は図１Ａ〜図１Ｅに対応する実施例における関連内容を参照してもよく、ここで説明を省略する。
【０１１４】
本実施例では、取得ユニットが構成情報を取得し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに送信ユニットで前記構成情報を送信する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【０１１５】
また、本発明で提供される技術案の採用により、各周波数領域帯域幅構成によって構成される帯域幅分割の大きさ及び／又は位置が同じな周波数領域ユニットを単位として用い、定義されるため、異なるリソース粒度構成を用いて構成することと比較すれば、シグナリングの構造を統合制御でき、それにより端末の処理複雑さを簡略化する。
【０１１６】
また、本発明で提供される技術案の採用により、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【０１１７】
また、本発明で提供される技術案の採用により、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【０１１８】
図４は本発明の別の実施例に係わる端末の構造模式図であり、図４に示される。本実施例のネットワーク装置が受信ユニット４１及び決定ユニット４２を含んでもよい。受信ユニット４１は、構成情報を受信するように構成され、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である。決定ユニット４２は、前記構成情報に基づき、前記少なくとも１つの周波数領域帯域幅構成を決定するように構成される。
【０１１９】
オプションとして、本実施例の１つの可能な実現形態では、前記各周波数領域帯域幅構成によって構成される帯域幅分割が同じサブキャリア間隔又は異なるサブキャリア間隔を有し、本実施例はこれを特に限定しない。
【０１２０】
このように、異なる帯域幅分割の間に切り替えることにより複数種のサブキャリア間隔のリソース割り当てを実現できる。
【０１２１】
オプションとして、本実施例の１つの可能な実現形態では、前記リソースブロック的サブキャリア間隔が前記各周波数領域帯域幅構成によって構成される帯域幅分割のサブキャリア間隔における任意の１つのサブキャリア間隔であってもよい。
【０１２２】
オプションとして、本実施例の１つの可能な実現形態では、前記リソースブロックのサブキャリア間隔が前記各周波数領域帯域幅構成によって構成される帯域幅分割のサブキャリア間隔における最大サブキャリア間隔である。
【０１２３】
このように、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【０１２４】
オプションとして、本実施例の１つの可能な実現形態では、前記各周波数領域帯域幅構成によって構成される帯域幅分割の大きさが前記各周波数領域帯域幅構成によって構成される帯域幅分割に含まれる前記周波数領域ユニットＤの数量であってもよい。
【０１２５】
オプションとして、本実施例の１つの可能な実現形態では、前記各周波数領域帯域幅構成によって構成される帯域幅分割の位置は前記各周波数領域帯域幅構成によって構成される帯域幅分割の、同期信号又はセルキャリアに対する相対オフセットであり、前記相対オフセットが前記周波数領域ユニットで定義される。
【０１２６】
１つの具体的な実現過程では、前記相対オフセットは、前記各周波数領域帯域幅構成によって構成される帯域幅分割の中心周波数ポイント、周波数領域ハイエンド又は周波数領域ローエンドの、同期信号の中心周波数ポイント、周波数領域ハイエンド又は周波数領域ローエンドに対するオフセットであってもよい。
【０１２７】
別の具体的な実現過程では、前記相対オフセットは、前記各周波数領域帯域幅構成によって構成される帯域幅分割の中心周波数ポイント、周波数領域ハイエンド又は周波数領域ローエンドの、セルキャリアの中心周波数ポイント、周波数領域ハイエンド又は周波数領域ローエンドに対するオフセットであってもよい。
【０１２８】
オプションとして、本実施例の１つの可能な実現形態では、前記受信ユニット３１が受信した構成情報はさらに、
前記各周波数領域帯域幅構成の番号情報、及び
前記各周波数領域帯域幅構成によって構成される帯域幅分割のサブキャリア間隔の情報のうちの少なくとも１つを含んでもよい。
【０１２９】
具体的には、前記各周波数領域帯域幅構成によって構成される帯域幅分割のサブキャリア間隔の情報は、前記各周波数領域帯域幅構成によって構成される帯域幅分割のサブキャリア間隔の番号情報であってもよく、又はさらに前記各周波数領域帯域幅構成によって構成される帯域幅分割のパラメータセットの番号情報であってもよく、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックス、たとえば、パラメータセット１（サブキャリア間隔１、サイクリックプレフィックス１）、パラメータセット２（サブキャリア間隔２、サイクリックプレフィックス２）等を含み、本実施例はこれを特に限定しない。
【０１３０】
オプションとして、本実施例の１つの可能な実現形態では、前記受信ユニット３１は、具体的に、上位層シグナリング又はシステムブロードキャストメッセージにより送信される前記構成情報を受信するように構成されてもよい。
【０１３１】
オプションとして、本実施例の１つの可能な実現形態では、前記受信ユニット３１は、さらに第一指示情報を受信するように構成されてもよく、前記第一指示情報が前記少なくとも１つの周波数領域帯域幅構成における１つの周波数領域帯域幅構成を指示する番号情報を含む。
【０１３２】
具体的には、前記受信ユニット３１は、具体的に、上位層シグナリング又はシステムブロードキャストメッセージ又は下り制御情報により送信される前記第一指示情報を受信するように構成されてもよい。
【０１３３】
オプションとして、本実施例の１つの可能な実現形態では、前記受信ユニット３１は、さらに第二指示情報を受信するように構成されてもよく、前記第二指示情報が前記少なくとも１つの周波数領域帯域幅構成における１つの周波数領域帯域幅構成に基づく周波数領域リソース割り当て情報を含む。
【０１３４】
具体的には、前記受信ユニット３１は、具体的に、上位層シグナリング又はシステムブロードキャストメッセージ又は下り制御情報により送信される前記第二指示情報を受信するように構成されてもよい。
【０１３５】
なお、図２に対応する実施例の方法は、本実施例に係わる端末で実現されてもよい。詳細な説明は図２に対応する実施例における関連内容を参照してもよく、ここで説明を省略する。
【０１３６】
本実施例では、受信ユニットが構成情報を受信し、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であり、さらに決定ユニットによって、前記構成情報に基づき、前記少なくとも１つの周波数領域帯域幅構成を決定する。これにより、各周波数領域帯域幅構成によって構成される帯域幅分割の大きさ及び／又は位置が同じな周波数領域ユニットを単位として用い、定義されるため、異なるリソース粒度を用いて帯域幅分割を構成することと比較すれば、シグナリングの構造を統合制御でき、それによってより低い制御シグナリングオーバーヘッドを効果的に確保し、且つ装置の複雑さを低減させる。
【０１３７】
また、本発明で提供される技術案の採用により、各周波数領域帯域幅構成によって構成される帯域幅分割の大きさ及び／又は位置が同じな周波数領域ユニットを単位として用い、定義されるため、異なるリソース粒度構成を用いて構成することと比較すれば、シグナリングの構造を統合制御でき、それにより端末の処理複雑さを簡略化する。
【０１３８】
また、本発明で提供される技術案の採用により、各周波数領域帯域幅構成によって構成される帯域幅分割のサブキャリア間隔における最大サブキャリア間隔をリソースブロックのサブキャリア間隔として用いるため、より小さいサブキャリア間隔をリソースブロックのサブキャリア間隔として用いることと比べ、構成帯域幅分割のビット数を効果的に減少させ、制御シグナリングオーバーヘッドを節約することができる。
【０１３９】
また、本発明で提供される技術案の採用により、帯域幅分割の位置が同期信号に対するオフセットを用いて構成を行うことができるため、端末がシステム帯域幅を知る必要がなく、ｂａｎｄｗｉｄｔｈ  ｐａｒｔ１の位置の情報を取得でき、ネットワーク装置から端末にシステム帯域幅を通知する制御シグナリングオーバーヘッドを効果的に節約でき、それにより、ｂａｎｄｗｉｄｔｈ  ｐａｒｔを構成する柔軟性を向上させる。特に、高周波帯域幅がより端末に対して、端末がシステム帯域幅の位置を検索する必要がなく、それにより、端末に対する処理複雑さ要件も低減させ、端末のコスト及び電力消費を低減させることに有利である。
【０１４０】
当業者であれば、説明の簡便及び簡潔のため、上記説明のシステム、装置及びユニットの具体的な作業過程が、上記方法の実施例の対応する過程を参照してもよいことは、明らかなものであり、ここで説明を省略する。
【０１４１】
本発明に係わる複数の実施例では、開示されるシステム、装置及び方法が、他の方式で実現されてもよいことは、当然理解されるものである。たとえば、以上に説明される装置実施例は単に模式的なものであり、たとえば、前記ユニットの分割は、単にロジック機能分割であり、実際に実現される時に、他の分割方式を有してもよく、たとえば、複数のユニット又はユニットを組み合わせでもよく、又は別のシステムに集積してもよく、又はある特徴を無視してもよく、又は実行しなくてもよい。一方、表示され又は検討される相互のカップリング又は直接カップリング合又は通信接続があるインタフェース、装置又はユニットの間接カップリング又は通信接続を用いてもよく、電気、機械又は他の形式であってもよい。
【０１４２】
分離部材として説明されるユニットが物理的に分離するものであってもよく、又はそうではなくてもよく、ユニットとして表示される部材が物理ユニットであってもよく、又はそうではなくてもよく、すなわち、１つの場所に位置してもよく、又は複数のネットワークユニットに分布にしてもよい。実際の必要に応じて、そのうちの一部又は全部のユニットを選択して本実施例の手段の目的を実現してもよい。
【０１４３】
また、本発明の各実施例における各機能ユニットが１つの処理ユニットに集積されてもよく、各ユニットが単独で物理的に存在してもよく、２つ又は２つ以上のユニットが１つのユニットに集積されてもよい。上記した集成されるユニットがハードウェアの形式で実現されてもよく、さらにハードウェアとソフトウェア機能ユニットの形式で実現されてもよい。
【０１４４】
最後の説明として、以上の実施例は単に本発明の技術案を説明するものであり、それを制限するものではなく、上記実施例を参照しながら本発明を詳細に説明したが、当業者であれば、依然として上記各実施例に記載の技術案を改定し、又は一部の技術的特徴に対して等価置換を行うことができることは、当然理解されるものであり、これらの改定又は置換は、対応する技術案の本質が本発明の各実施例の技術案の精神及び範囲から逸脱するものではない。
【図１Ａ】
2020528228.tif 000003
【図１Ｂ】
2020528228.tif 000004
【図１Ｃ】
2020528228.tif 000005
【図１Ｄ】
2020528228.tif 000006
【図１Ｅ】
2020528228.tif 000007
【図２】
2020528228.tif 000008
【図３】
2020528228.tif 000009
【図４】
2020528228.tif 000010
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
帯域幅分割の構成方法であって、
構成情報を受信することであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数であることと、
前記構成情報に基づき、前記少なくとも１つの周波数領域帯域幅構成を決定することと、含むことを特徴とする、前記帯域幅分割の構成方法。
【請求項２】
前記各周波数領域帯域幅構成によって構成される帯域幅分割が、同じサブキャリア間隔又は異なるサブキャリア間隔を有することを特徴とする
請求項１に記載の方法。
【請求項３】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項１に記載の方法。
【請求項４】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項１に記載の方法。
【請求項５】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項１に記載の方法。
【請求項６】
前記相対オフセットは、
前記各周波数領域帯域幅構成によって構成される帯域幅分割の周波数領域ローエンドの、同期信号の周波数領域ローエンドに対するオフセット、又は
前記各周波数領域帯域幅構成によって構成される帯域幅分割の周波数領域ローエンドの、セルキャリアの周波数領域ローエンドに対するオフセットを含むことを特徴とする
請求項５に記載の方法。
【請求項７】
端末であって、
構成情報を受信するように構成される受信ユニットであって、前記構成情報が少なくとも１つの周波数領域帯域幅構成を構成することに用いられ、前記少なくとも１つの周波数領域帯域幅構成のうち各周波数領域帯域幅構成によって構成される帯域幅分割の大きさ及び／又は位置が同じ周波数領域ユニットを単位として用い、定義され、前記周波数領域ユニットがＮ個のリソースブロックを含み、Ｎが以上１の整数である、受信ユニットと、
前記構成情報に基づき、前記少なくとも１つの周波数領域帯域幅構成を決定するように構成される決定ユニットと、を含むことを特徴とする、前記端末。
【請求項８】
前記各周波数領域帯域幅構成によって構成される帯域幅分割が、同じサブキャリア間隔又は異なるサブキャリア間隔を有することを特徴とする
請求項７に記載の端末。
【請求項９】
前記リソースブロックのサブキャリア間隔が、前記各周波数領域帯域幅構成によって構成される帯域幅分割のサブキャリア間隔における任意の１つのサブキャリア間隔であり、又は
前記リソースブロックのサブキャリア間隔が、前記各周波数領域帯域幅構成によって構成される帯域幅分割のサブキャリア間隔における最大サブキャリア間隔であることを特徴とする
請求項７に記載の端末。
【請求項１０】
前記各周波数領域帯域幅構成によって構成される帯域幅分割の大きさが、前記各周波数領域帯域幅構成によって構成される帯域幅分割に含まれる前記周波数領域ユニットの数量であることを特徴とする
請求項７に記載の端末。
【請求項１１】
前記各周波数領域帯域幅構成によって構成される帯域幅分割の位置は、前記各周波数領域帯域幅構成によって構成される帯域幅分割の、同期信号又はセルキャリアに対する相対オフセットであり、前記相対オフセットが前記周波数領域ユニットで定義されることを特徴とする
請求項７に記載の端末。
【請求項１２】
前記相対オフセットは、
前記各周波数領域帯域幅構成によって構成される帯域幅分割の周波数領域ローエンドの、同期信号の周波数領域ローエンドに対するオフセット、又は
前記各周波数領域帯域幅構成によって構成される帯域幅分割の周波数領域ローエンドの、セルキャリアの周波数領域ローエンドに対するオフセットを含むことを特徴とする
請求項１１に記載の端末。
【請求項１３】
前記構成情報はさらに、
前記各周波数領域帯域幅構成の番号情報、及び
前記各周波数領域帯域幅構成によって構成される帯域幅分割のサブキャリア間隔の情報のうちの少なくとも１つを含み、
前記各周波数領域帯域幅構成によって構成される帯域幅分割のサブキャリア間隔の情報は、
前記各周波数領域帯域幅構成によって構成される帯域幅分割のサブキャリア間隔の番号情報、又は
前記各周波数領域帯域幅構成によって構成される帯域幅分割のパラメータセットの番号情報、前記各周波数領域帯域幅構成によって構成される帯域幅分割のパラメータセットが少なくとも前記各周波数領域帯域幅構成によって構成される帯域幅分割のサブキャリア間隔及びサイクリックプレフィックスを含むことを含むことを特徴とする
請求項７に記載の端末。
【請求項１４】
前記受信ユニットは、具体的に、
上位層シグナリング又はシステムブロードキャストメッセージにより送信される前記構成情報を受信するように構成されることを特徴とする
請求項７に記載の端末。
【請求項１５】
前記受信ユニットは、さらに
第一指示情報を受信するように構成され、前記第一指示情報が前記少なくとも１つの周波数領域帯域幅構成における１つの周波数領域帯域幅構成を指示する番号情報を含み、
前記受信ユニットは、具体的に、
上位層シグナリング、システムブロードキャストメッセージ又は下り制御情報により送信される前記第一指示情報を受信するように構成されることを特徴とする
請求項７〜１４のいずれか一項に記載の端末。
【請求項１６】
前記受信ユニットは、さらに
第二指示情報を受信するように構成され、前記第二指示情報が前記少なくとも１つの周波数領域帯域幅構成における１つの周波数領域帯域幅構成に基づく周波数領域リソース割り当て情報を含み、
前記受信ユニットは、具体的に、
上位層シグナリング、システムブロードキャストメッセージ又は下り制御情報により送信される前記第二指示情報を受信するように構成されることを特徴とする
請求項７〜１４のいずれか一項に記載の端末。
【国際調査報告】
2020528228.tif 000011
2020528228.tif 000012
2020528228.tif 000013
2020528228.tif 000014